【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ２の電話番号又はホスト名、及び接続要求を、前記無線基地局Ｂ１を経由して端末Ｍ１から受け取り、前記接続サーバＳ１は、前記電話番号又はホスト名、及び前記接続要求を基に、メッセージ１を形成して接続サーバＳ２に送り、
前記接続サーバＳ２は、着信通知を、前記無線基地局Ｂ２を経由して、前記端末Ｍ２に送り、
前記接続サーバＳ２は、呼出中通知を前記端末Ｍ２から受け取り、
前記接続サーバＳ２は、前記呼出中通知を基に、メッセージ２を形成して前記接続サーバＳ１に送り、
前記接続サーバＳ２は、応答通知を前記端末Ｍ２から受け取り、
前記接続サーバＳ２は、前記応答通知を基に、メッセージ３を形成して前記接続サーバＳ１へ送り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１から送られた通信解放要求を基に、前記接続サーバＳ１はメッセージ４を形成して前記接続サーバＳ２へ送り、前記網ノード装置Ｎ１及びＮ２は、前記通信レコードＲ１及びＲ２の抹消を行い、前記通信パスＰ１２が抹消されることを特徴とする通信システム。
【請求項２】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ２の電話番号又はホスト名、及び接続要求を、前記無線基地局Ｂ１を経由して、端末Ｍ１から受け取り、前記接続サーバＳ２から、着信通知が、前記無線基地局Ｂ２を経由して前記端末Ｍ２に送られ、
前記接続サーバＳ２は、前記端末Ｍ２から呼出中通知を、前記無線基地局Ｂ２を経由して受け取り、前記接続サーバＳ２は、応答通知を、前記無線基地局Ｂ２を経由して前記端末Ｍ２から受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
前記端末Ｍ１又はＭ２からの通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項３】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ１から、端末Ｍ２の電話番号又はホスト名、及び接続要求を、前記無線基地局Ｂ１を経由して受け取り、
接続サーバＳ２は、前記端末Ｍ２から、呼出中通知を、前記無線基地局Ｂ２を経由して受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項４】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ１から、端末Ｍ２の電話番号又はホスト名、及び接続要求を、前記無線基地局Ｂ１を経由して受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの、通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項５】
通信網は複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
前記通信網は、端末Ｍ２の電話番号又はホスト名、及び接続要求を、前記無線基地局Ｂ１を経由して端末Ｍ１から受け取り、
前記通信網は、前記端末Ｍ２から呼出中通知を受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの通信解放要求を基に、前記網ノード装置Ｎ１及びＮ２は、前記通信レコードＲ１及びＲ２の抹消を行い、前記通信パスＰ１２が抹消されることを特徴とするＩＰ網を用いた通信システム。
【請求項６】
通信網は複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
前記通信網は、端末Ｍ２の電話番号又はホスト名、及び接続要求を、前記無線基地局Ｂ１を経由して端末Ｍ１から受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
前記端末Ｍ１又はＭ２からの通信解放要求を基に、前記網ノード装置Ｎ１及びＮ２は、前記通信レコードＲ１及びＲ２の抹消を行い、前記通信パスＰ１２が抹消されることを特徴とするＩＰ網を用いた通信システム。
【請求項７】
前記無線基地局Ｂ２に換えて端末Ｔ２が通信回線Ｌ２に接続され、前記端末Ｍ１と、前記端末Ｔ２が、前記通信パスＰ１２を経由して通信を行う請求項１乃至６のいずれかに記載のＩＰ網を用いた通信システム。
【請求項８】
前記無線基地局Ｂ１に換えて端末Ｔ１が通信回線Ｌ１に接続され、前記無線基地局Ｂ２に換えて端末Ｔ２が通信回線Ｌ２に接続され、前記端末Ｔ１と、前記端末Ｔ２が、前記通信パスＰ１２を経由して通信を行う請求項１乃至６のいずれかに記載のＩＰ網を用いた通信システム。
【請求項９】
前記通信システムは、公衆電話交換網と接続され、前記端末Ｍ１は、前記公衆電話交換網に接続された電話機と通信を行う請求項１乃至６のいずれかに記載のＩＰ網を用いた通信システム。
【請求項１０】
前記無線基地局Ｂ１に換えて端末Ｔ１が通信回線Ｌ１に接続され、前記Ｔ１と前記電話機が通信を行う請求項９に記載のＩＰ網を用いた通信システム。
【請求項１１】
前記無線基地局Ｂ２に換えて端末Ｔ２が通信回線Ｌ２に接続され、前記端末Ｍ１と、前記端末Ｔ２が、前記通信パスＰ１２を経由して通信を行い、前記端末Ｔ２が呼出中通知を送らない請求項１乃至３のいずれか又は請求項５に記載のＩＰ網を用いた通信システム。
【請求項１２】
前記無線基地局Ｂ１に換えて端末Ｔ１が通信回線Ｌ１に接続され、前記無線基地局Ｂ２に換えて端末Ｔ２が通信回線Ｌ２に接続され、前記端末Ｔ１と、前記端末Ｔ２が、前記通信パスＰ１２を経由して通信を行い、前記端末Ｔ２が、呼出中通知を送らない請求項１乃至３のいずれか又は請求項５に記載のＩＰ網を用いた通信システム。
【請求項１３】
前記接続サーバＳ１又はＳ２は、通信開始時刻、通信終了時刻を記録する請求項１乃至４のいずれかに記載のＩＰ網を用いた通信システム。
【請求項１４】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
無線基地局Ｂ３は、通信回線Ｌ３を経て論理端子ＬＰ３で網ノード装置Ｎ３に接続され、
接続サーバＳ１は、端末Ｍ１から、端末Ｍ２の電話番号又はホスト名、及び接続要求を、前記無線基地局Ｂ１を経由して受け取り、
前記接続サーバＳ２は、前記端末Ｍ２から、呼出中通知を、前記無線基地局Ｂ２を経由して受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
位置変更要求を基に、前記網ノード装置Ｎ３は通信レコードＲ３の設定を行い、前記網ノード装置Ｎ２は通信レコードＲ２Ｘの設定を行い、前記論理端子ＬＰ３及びＬＰ２の間に内部パケットが転送される通信パスＰ３２が定められ、前記網ノード装置Ｎ３は前記音声又はデータを、前記端末Ｍ１から、前記無線基地局Ｂ３を経由して受け取り、前記網ノード装置Ｎ３は前記音声又はデータを、前記通信パスＰ３２、前記網ノード装置Ｎ２、前記無線基地局Ｂ２を経由して前記端末Ｍ２に送り、
前記端末Ｍ１またはＭ２からの通信解放要求を基に、前記網ノード装置Ｎ３及びＮ２は前記通信レコードＲ３及びＲ２Ｘの抹消を行い、前記通信パスＰ３２が抹消されることを特徴とするＩＰ網を用いた通信システム。
【請求項１５】
通信網は、複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
無線基地局Ｂ３は、通信回線Ｌ３を経て論理端子ＬＰ３で網ノード装置Ｎ３に接続され、
前記通信網は、端末Ｍ１から、端末Ｍ２の電話番号又はホスト名、及び接続要求を、前記無線基地局Ｂ１を経由して受け取り、前記通信網は、前記端末Ｍ２から、呼出中通知を、前記無線基地局Ｂ２を経由して受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は前記通信レコードＲ１を基に、前記外部ＩＰパケットを内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
位置変更要求を基に前記網ノード装置Ｎ３は、通信レコードＲ３の設定を行い、前記網ノード装置Ｎ２は、通信レコードＲ２Ｘの設定を行い、前記論理端子ＬＰ３及びＬＰ２の間に内部パケットが転送される通信パスＰ３２が定められ、前記網ノード装置Ｎ３は前記音声又はデータを、前記端末Ｍ１から、前記無線基地局Ｂ３を経由して受け取り、前記網ノード装置Ｎ３は前記音声又はデータを、前記通信パスＰ３２、前記網ノード装置Ｎ２、前記無線基地局Ｂ２を経由して前記端末Ｍ２に送り、
前記端末Ｍ１またはＭ２からの通信解放要求を基に、前記網ノード装置Ｎ３及びＮ２は前記通信レコードＲ３及びＲ２Ｘの抹消を行い、前記通信パスＰ３２が抹消されることを特徴とするＩＰ網を用いた通信システム。
【請求項１６】
前記無線基地局Ｂ２に換えて端末Ｔ２が前記通信回線Ｌ２に接続され、前記端末Ｔ２が呼中通知を送らない請求項１４又は１５に記載のＩＰ網を用いた通信システム。
【請求項１７】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ２の電話番号又はホスト名、及び接続要求を、前記無線基地局Ｂ１を経由して端末Ｍ１から受け取り、前記接続サーバＳ１は、前記電話番号又はホスト名、及び前記接続要求を基に、メッセージ１を形成して接続サーバＳ２に送り、
前記接続サーバＳ２は、着信通知を、前記無線基地局Ｂ２を経由して、前記端末Ｍ２に送り、
前記接続サーバＳ２は、呼出中通知を前記端末Ｍ２から受け取り、
前記接続サーバＳ２は、前記呼出中通知を基に、メッセージ２を形成して前記接続サーバＳ１に送り、
前記接続サーバＳ２は、応答通知を前記端末Ｍ２から受け取り、
前記接続サーバＳ２は、前記応答通知を基に、メッセージ３を形成して前記接続サーバＳ１へ送り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１から送られた通信解放要求を基に、前記接続サーバＳ１はメッセージ４を形成して前記接続サーバＳ２へ送り、前記網ノード装置Ｎ１及びＮ２は、前記通信レコードＲ１及びＲ２の抹消を行い、前記通信パスＰ１２が抹消されることを特徴とする通信システム。
【請求項１８】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ２の電話番号又はホスト名、及び接続要求を、前記無線基地局Ｂ１を経由して、端末Ｍ１から受け取り、前記接続サーバＳ２から、着信通知が、前記無線基地局Ｂ２を経由して前記端末Ｍ２に送られ、
前記接続サーバＳ２は、前記端末Ｍ２から呼出中通知を、前記無線基地局Ｂ２を経由して受け取り、前記接続サーバＳ２は、応答通知を、前記無線基地局Ｂ２を経由して前記端末Ｍ２から受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
前記端末Ｍ１又はＭ２からの通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項１９】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ１から、端末Ｍ２の電話番号又はホスト名、及び接続要求を、前記無線基地局Ｂ１を経由して受け取り、
接続サーバＳ２は、前記端末Ｍ２から、呼出中通知を、前記無線基地局Ｂ２を経由して受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項２０】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
接続サーバＳ１は、端末Ｍ１から、端末Ｍ２の電話番号又はホスト名、及び接続要求を、前記無線基地局Ｂ１を経由して受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの、通信解放要求を基に、
前記網ノード装置Ｎ１及びＮ２は前記通信レコードＲ１及びＲ２の抹消を行い、前記通信パスＰ１２が抹消されることを特徴とするＩＰ網を用いた通信システム。
【請求項２１】
通信網は複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
前記通信網は、端末Ｍ２の電話番号又はホスト名、及び接続要求を、前記無線基地局Ｂ１を経由して端末Ｍ１から受け取り、
前記通信網は、前記端末Ｍ２から呼出中通知を受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが、前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが、前記端末Ｍ２に送られ、
前記端末Ｍ１又はＭ２からの通信解放要求を基に、前記網ノード装置Ｎ１及びＮ２は、前記通信レコードＲ１及びＲ２の抹消を行い、前記通信パスＰ１２が抹消されることを特徴とするＩＰ網を用いた通信システム。
【請求項２２】
通信網は複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
前記通信網は、端末Ｍ２の電話番号又はホスト名、及び接続要求を、前記無線基地局Ｂ１を経由して端末Ｍ１から受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
前記端末Ｍ１又はＭ２からの通信解放要求を基に、前記網ノード装置Ｎ１及びＮ２は、前記通信レコードＲ１及びＲ２の抹消を行い、前記通信パスＰ１２が抹消されることを特徴とするＩＰ網を用いた通信システム。
【請求項２３】
前記無線基地局Ｂ２に換えて端末Ｔ２が通信回線Ｌ２に接続され、前記端末Ｍ１と、前記端末Ｔ２が、前記通信パスＰ１２を経由して通信を行う請求項１７乃至２２のいずれかに記載のＩＰ網を用いた通信システム。
【請求項２４】
前記無線基地局Ｂ１に換えて端末Ｔ１が通信回線Ｌ１に接続され、前記無線基地局Ｂ２に換えて端末Ｔ２が通信回線Ｌ２に接続され、前記端末Ｔ１と、前記端末Ｔ２が、前記通信パスＰ１２を経由して通信を行う請求項１７乃至２２のいずれかに記載のＩＰ網を用いた通信システム。
【請求項２５】
前記通信システムは、公衆電話交換網と接続され、前記端末Ｍ１は、前記公衆電話交換網に接続された電話機と通信を行う請求項１７乃至２２のいずれかに記載のＩＰ網を用いた通信システム。
【請求項２６】
前記無線基地局Ｂ１に換えて端末Ｔ１が通信回線Ｌ１に接続され、前記Ｔ１と前記電話機が通信を行う請求項２５に記載のＩＰ網を用いた通信システム。
【請求項２７】
前記無線基地局Ｂ２に換えて端末Ｔ２が通信回線Ｌ２に接続され、前記端末Ｍ１と、前記端末Ｔ２が、前記通信パスＰ１２を経由して通信を行い、前記端末Ｔ２が呼出中通知を送らない請求項１７乃至１９のいずれか又は請求項２１に記載のＩＰ網を用いた通信システム。
【請求項２８】
前記無線基地局Ｂ１に換えて端末Ｔ１が通信回線Ｌ１に接続され、前記無線基地局Ｂ２に換えて端末Ｔ２が通信回線Ｌ２に接続され、前記端末Ｔ１と、前記端末Ｔ２が、前記通信パスＰ１２を経由して通信を行い、前記端末Ｔ２が、呼出中通知を送らない請求項１７乃至１９のいずれか又は請求項２１に記載のＩＰ網を用いた通信システム。
【請求項２９】
前記接続サーバＳ１又はＳ２は、通信開始時刻、通信終了時刻を記録する請求項１７乃至２０のいずれかに記載のＩＰ網を用いた通信システム。
【請求項３０】
無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
無線基地局Ｂ３は、通信回線Ｌ３を経て論理端子ＬＰ３で網ノード装置Ｎ３に接続され、
接続サーバＳ１は、端末Ｍ１から、端末Ｍ２の電話番号又はホスト名、及び接続要求を、前記無線基地局Ｂ１を経由して受け取り、
前記接続サーバＳ２は、前記端末Ｍ２から、呼出中通知を、前記無線基地局Ｂ２を経由して受け取り、
前記網ノード装置Ｎ１は通信レコードＲ１の設定を行い、前記網ノード装置Ｎ２は通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを、内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
位置変更要求を基に、前記網ノード装置Ｎ３は通信レコードＲ３の設定を行い、前記網ノード装置Ｎ２は通信レコードＲ２Ｘの設定を行い、前記論理端子ＬＰ３及びＬＰ２の間に内部パケットが転送される通信パスＰ３２が定められ、前記網ノード装置Ｎ３は前記音声又はデータを、前記端末Ｍ１から、前記無線基地局Ｂ３を経由して受け取り、前記網ノード装置Ｎ３は前記音声又はデータを、前記通信パスＰ３２、前記網ノード装置Ｎ２、前記無線基地局Ｂ２を経由して前記端末Ｍ２に送り、
前記端末Ｍ１またはＭ２からの通信解放要求を基に、前記網ノード装置Ｎ３及びＮ２は前記通信レコードＲ３及びＲ２Ｘの抹消を行い、前記通信パスＰ３２が抹消されることを特徴とするＩＰ網を用いた通信システム。
【請求項３１】
通信網は、複数の網ノード装置を含み、無線基地局Ｂ１は、通信回線Ｌ１を経て論理端子ＬＰ１で網ノード装置Ｎ１に接続され、無線基地局Ｂ２は、通信回線Ｌ２を経て論理端子ＬＰ２で網ノード装置Ｎ２に接続され、
無線基地局Ｂ３は、通信回線Ｌ３を経て論理端子ＬＰ３で網ノード装置Ｎ３に接続され、
前記通信網は、端末Ｍ１から、端末Ｍ２の電話番号又はホスト名、及び接続要求を、前記無線基地局Ｂ１を経由して受け取り、前記通信網は、前記端末Ｍ２から、呼出中通知を、前記無線基地局Ｂ２を経由して受け取り、
前記網ノード装置Ｎ１は、通信レコードＲ１の設定を行い、前記網ノード装置Ｎ２は、通信レコードＲ２の設定を行い、前記論理端子ＬＰ１及びＬＰ２の間に内部パケットが転送される通信パスＰ１２が定められ、
音声又はデータが、前記端末Ｍ１から前記無線基地局Ｂ１に送られ、前記音声又はデータを含む外部ＩＰパケットが前記無線基地局Ｂ１から送られ、
前記外部ＩＰパケットは、前記論理端子ＬＰ１から前記網ノード装置Ｎ１に入力され、前記網ノード装置Ｎ１は、前記論理端子ＬＰ１の識別情報と前記外部ＩＰパケットの宛先アドレスを基に、前記通信レコードＲ１を探し出し、前記通信レコードＲ１を基に、前記外部ＩＰパケットを内部パケットに変換し、
前記内部パケットは前記通信パスＰ１２を転送され、前記網ノード装置Ｎ２で復元された前記外部ＩＰパケットが、前記論理端子ＬＰ２から、前記無線基地局Ｂ２に送られ、前記無線基地局Ｂ２から、前記音声又はデータが前記端末Ｍ２に送られ、
位置変更要求を基に前記網ノード装置Ｎ３は、通信レコードＲ３の設定を行い、前記網ノード装置Ｎ２は、通信レコードＲ２Ｘの設定を行い、前記論理端子ＬＰ３及びＬＰ２の間に内部パケットが転送される通信パスＰ３２が定められ、前記網ノード装置Ｎ３は前記音声又はデータを、前記端末Ｍ１から、前記無線基地局Ｂ３を経由して受け取り、前記網ノード装置Ｎ３は前記音声又はデータを、前記通信パスＰ３２、前記網ノード装置Ｎ２、前記無線基地局Ｂ２を経由して前記端末Ｍ２に送り、
前記端末Ｍ１またはＭ２からの通信解放要求を基に、前記網ノード装置Ｎ３及びＮ２は前記通信レコードＲ３及びＲ２Ｘの抹消を行い、前記通信パスＰ３２が抹消されることを特徴とするＩＰ網を用いた通信システム。
【請求項３２】
前記無線基地局Ｂ２に換えて端末Ｔ２が前記通信回線Ｌ２に接続され、前記端末Ｔ２が呼中通知を送らない請求項３０又は３１に記載のＩＰ網を用いた通信システム。